(57)【要約】【課題】  庭でもベランダでも両方に兼用することが可能で、しかも布団の片面全面が簡単な操作で一度に日干しできるような布団干し具を安価に提供する。【解決手段】  長手方向に沿って第１枠体２、第２枠体３、第３枠体４を設け、第１、第２枠体２、３間を連結具５ａにより角度調整自在に連結するとともに、第２、第３枠体３、４間を連結具５ｂにより角度調整自在に連結し、各枠体２、３、４と連結具５ａ、５ｂの長手方向の長さの総和を布団の長さ程度にする。また、連結具５ａ、５ｂには、庭で使用するときの架台Ｇか、またはベランダで使用する時の固定具Ｋのいずれか一方を選択的に取付可能にする。【選択図】      図１
2006043070.tif 000002
【特許請求の範囲】
【請求項１】
長手方向に沿って配設される第１、第２、第３枠体と、第１、第２枠体間と第２、第３枠体間を角度調整自在に連結する連結具を備え、各枠体と連結具の長手方向の長さの総和が布団の長さ程度にされるとともに、前記連結具には、庭等で使用するときの架台か、またはベランダで使用する時の固定具のいずれか一方が選択的に取付可能にされることを特徴とする布団干し具。
【請求項２】
前記第３枠体の端部には、布団の端部が当接するストッパ部材と、布団の自重で自動的に布団を押えつける押え付け機構が設けられることを特徴とする請求項１に記載の布団干し具。
【請求項３】
前記各枠体の上部には、布団の上面を覆うためのオーバーシートが開閉自在に設けられることを特徴とする請求項１又は請求項２に記載の布団干し具。
【請求項４】
前記ベランダに使用するときの固定具には、ベランダの外壁を前後から挟みつけて締付け固定できる一対の締付け部材が設けられることを特徴とする請求項１乃至請求項３のいずれか１項に記載の布団干し具。
【発明の詳細な説明】
【技術分野】
【０００１】
本発明は、布団の全面を一度で干すことができ、庭にもベランダにも兼用可能な干し具に関する。
【背景技術】
【０００２】
従来、ベランダの手摺り等に布団を干す際、布団の内側（ベランダ側）に日射が当たらず十分な日干しが出来ないため、例えば、ベランダの内側に反射板を設け、日光を反射させて手摺りの内側部分の布団に照射させるようにした技術（例えば、特許文献１参照。）や、狭いスペースで布団の全面にむらなく太陽光を当てるため、竿部にかけた布団の両端部を連結具で連結して輪状にし、竿部を回転させることで全面に日光を当てるような技術（例えば、特許文献２参照。）や、布団の全面干しのため、ベランダに隣接してパイプ組付体を設置し、パイプ組付体の土台部に重し石を載せて安定させるとともに、パイプ組付体の前面からベランダの前面にかけて布団を吊下げるようにセットしてゴムバンドで固定するような技術（例えば、特許文献３参照。）などが知られている。
【０００３】
【特許文献１】特開２０００−２９６２９７号公報
【特許文献２】特開２００３−１９３９５号公報
【特許文献３】特開２０００−２０２１９２号公報
【発明の開示】
【発明が解決しようとする課題】
【０００４】
ところが、特許文献１のように反射板を用いて裏側を日干ししようとする場合には、太陽の位置に応じて反射板の向きを変えなければならず、あまり効果が得られにくいという問題があった。また、特許文献２のように竿部にかけた布団を輪状にして回転させる場合には、回転機構等が複雑となり、装置構成を安価に構成することができず、またモータ駆動等のため電気を必要とし経済的でなかった。また、特許文献３のようにベランダに隣接してパイプ組付体を設置するような技術は、重し石による位置決めが不安定であり、また、布団を所定の位置にセットする作業も簡単ではなかった。
また、これらの技術はいずれもマンション等のベランダに設置できるだけで、庭付きの家庭等に設置するには不向きであった。
【０００５】
そこで本発明は、家庭の庭等でもベランダでも両方に兼用することが可能で、しかも布団の片面全面が簡単な操作で一度に日干しできるような布団干し具を安価に提供することを目的とする。
【課題を解決するための手段】
【０００６】
上記目的を達成するため本発明は、長手方向に沿って配設される第１、第２、第３枠体と、第１、第２枠体間と第２、第３枠体間を角度調整自在に連結する連結具を設け、各枠体と連結具の長手方向の長さの総和を布団の長さ程度にするとともに、前記連結具には、庭等で使用するときの架台か、またはベランダで使用する時の固定具のいずれか一方を選択的に取付可能にした。
【０００７】
そして、ベランダで使用するときは、連結具に取り付けた固定具を介してベランダの手摺り等に固定し、第１枠体が一番高い位置で、第２枠体が中間位置で、第３枠体が一番低い位置になるような傾斜姿勢にするとともに、これら第１〜第３枠体上に布団をセットすることにより、布団の片面のほぼ全域が太陽に当たるようにする。また、庭で使用するときは、連結具に架台を取り付け、この架台を庭等に載置するとともに、同じく第１枠体が一番高い位置で、第２枠体が中間位置で、第３枠体が一番低い位置になるような傾斜姿勢にするとともに、これら第１〜第３枠体上に布団をセットすることにより、布団の片面のほぼ全域が太陽に当たるようにする。
このように、ベランダにも庭にも兼用できるようにすれば便利である。
また、第１、第２、第３枠体と分割構成し、これを連結具で連結自在にすることにより、流通段階や組み立て前の段階は小型化が図られ、取扱いが容易となる。
【０００８】
また本発明では、前記第３枠体の端部に、布団の端部が当接するストッパ部材と、布団の自重で自動的に布団を押えつける押え付け機構を設けるようにした。
そして、ストッパ部材で布団のずり落ちを防止するとともに、押え付け機構により、布団の姿勢を安定させるよう図る。
【０００９】
また本発明では、前記各枠体の上部に、布団の上面を覆うためのオーバーシートが開閉自在に設けるようにした。そして、各枠体上に布団をセットした後、オーバーシートで覆うことにより、花粉等が布団に付着するのを防止することができる。
また本発明では、前記ベランダに使用するときの固定具に、ベランダの外壁を前後から挟みつけて締付け固定できる一対の締付け部材を設けた。そして、これら締付け部材でベランダの外壁に固定すれば取扱い容易で便利である。
【発明の効果】
【００１０】
長手方向に沿って第１、第２、第３枠体を設け、第１、第２枠体間と第２、第３枠体間を連結具で角度調整自在に連結し、各枠体と連結具の長手方向の長さの総和を布団の長さ程度にするとともに、連結具には、庭等で使用するときの架台か、またはベランダで使用する時の固定具のいずれか一方を選択的に取付可能にすることにより、庭等でもベランダでも使用することができるようになる。また組み立て前の収納状態等を小型化することができる。
また、第３枠体の端部のストッパ部材で布団のずり落ちを防止することができ、また、押え付け機構により布団の姿勢を安定させることができる。
また、布団をセットした後、オーバーシートで覆うことにより、花粉等の付着を防止できる。
そして、ベランダに固定する固定具に一対の締付け部材を設ければ、取扱い容易で便利である。
【発明を実施するための最良の形態】
【００１１】
本発明の実施の形態について添付した図面に基づき説明する。
ここで図１は本発明に係る布団干し具を架台に取り付けた状態を示す側面図、図２は同平面図、図３は連結具の説明図、図４は布団干し具をベランダに取り付けた状態を示す側面図、図５は固定具の説明図、図６、図７はオーバーシートの開閉機構の一例を示し、図６は第３枠体のガイドパイプ部分の説明図、図７は第２枠体の押えパイプ部分の説明図、図８は付属品を取り付けた状態の説明図である。
【００１２】
本発明に係る布団干し具は、家庭に庭等がある場合には庭に設置することもでき、マンション等の場合は、ベランダにも設置することができるように兼用タイプ型として構成され、布団の片面全面を一度に日干しできるようにされている。
【００１３】
ここで、図１、図２に示す例は、庭等に設置するため架台に取り付けた状態の説明図であるが、この場合を例にとって説明すると、本発明の布団干し具１は、長手方向に沿って第１枠体２と、第２枠体３と、第３枠体４を備えており、第１枠体２と第２枠体３とは、左右一対の連結具５ａで角度調整自在に連結されるとともに、第２枠体３と第３枠体４も、左右一対の連結具５ｂで角度調整自在に連結されている。
そして、前後の連結具５ａ、５ｂには、架台Ｇ（説明上クロスハッチングで示す。）が取り付けられている。
そして、前記第１、第２、第３枠体２、３、４の主要骨格部分は硬質樹脂パイプから構成され、また、前後の連結具５ａ、５ｂも硬質樹脂板から構成されている。
【００１４】
前記第１枠体２は、前記連結具５ａの前方上部の孔を回動自在に挿通し且つ四角状の枠体に構成されるパイプ枠体６と、このパイプ枠体６の枠内を前後方向に補強する左右一対の縦パイプ７を備えており、この縦パイプ７の中間部には、ブラケット８（図１）が取り付けられ、このブラケット８に金属製の支え棒９が枢着されている。そして、この支え棒９の下端部は内側に向けて折り曲げられるとともに、この折曲げ部が、連結具５ａに形成される上下二段の切り込み凹部ｄ（図３）に係合可能にされている。そして、この折曲げ部を上段の切り込み凹部ｄに係合させると、第１枠体２の角度が急になり、下段の切り込み凹部ｄに係合させると、第１枠体２の角度が緩やかになるようにされている。
【００１５】
また、前記支え棒９の折曲げ部の延出端部には、操作部材１１から延出する連結バー１２（図１）の下端部がネジ１３（図２）で止め付けられ、支え棒９と操作部材１１の連結バー１２を一体に結合することにより、折曲げ部を上下いずれかの切り込み凹部ｄに係合させる際、操作部材１１を持って操作すれば操作容易になるようにしている。そして、本実施例では、操作部材１１としては横方向に対して所定間隔置きに凹部と突出部を設け、例えば、突出部を利用して靴等を引掛けて干すのに便利なようにしている。
また、この操作部材１１の通常時の位置を定まった位置に安定させるため、前記ブラケット８と操作部材１１との間に鎖１４（図１）を設けている。
【００１６】
また、パイプ枠体６の前方と後方の横辺は、図３にも示すように、小径パイプの外側に大径パイプを回動可能に嵌合させた二重管構造にしており、パイプ枠体６の上面に布団を載せた際に、布団が下方にスムーズに滑ってセットしやくなるようにしている。なお、図２中、この二重管構造部分をドットマークで表示する。
因みに、前記支え棒９の折曲げ部９ａを連結具５ａの切り込み凹部ｄから外すと、第１枠体２は、図１の鎖線に示すように、下方に垂下する。
【００１７】
また、左右の縦パイプ７の前部側にもブラケット１５が設けられ、このブラケット１５には、押えパイプ１６の両端部が回動自在に取り付けられている。そしてこの押えパイプ１６を回動させることにより、第１枠体２上に載置される布団の上端部を上から押え付けて布団の安定化を図ることができるようにされている。
因みに、この押えパイプ１６は、図２に示すように、左右一対の略Ｕ字型のパイプ１６ａと、これら略Ｕ字型パイプ１６ａの一端側を連結する連結パイプ１６ｂから構成され、連結パイプ１６ｂは、その両端部が略Ｕ字型パイプ１６ａの両端部にワンタッチ式に嵌合し得るよう半割形状にされている。そして、連結パイプ１６ｂの嵌合連結を取り外し、略Ｕ字型パイプ１６ａの他端側端部をブラケット１５に対して内側にスライドさせると、略Ｕ字型パイプ１６ａの横方向への張出し量が少なくなってコンパクト化されるようにしている。
【００１８】
前記第２枠体３は、前方の連結具５ａの後方上部の孔と、後方の連結具５ｂの前方上部の孔を回動自在に挿通し且つ四角状の枠体に構成されるパイプ枠体１８と、このパイプ枠体１８の枠内を前後方向に補強する左右一対の縦パイプ１９を備えており、前方の連結具５ａの後方下部の孔には、押えパイプ２０が回動自在に取り付けられている。この押えパイプ２０は、第２枠体３上に載置される布団の中間部を上から押え付けて布団の安定化を図るためのものであり、具体的構成は、前述の押えパイプ１６の場合と同様に、左右一対の略Ｕ字型のパイプ２０ａと、略Ｕ字型パイプ２０ａの一端側を嵌合自在に連結する連結パイプ２０ｂとから構成されている。
また、前記パイプ枠体１８も、前方と後方の横辺を小径パイプの外側に大径パイプを回動可能に嵌合させた二重管構造にしており、パイプ枠体１８の上面に布団を載せた際に、布団が下方にスムーズに滑るようにしている。なお、図２中、この二重管構造部分をドットマークで表示する。
【００１９】
前記第３枠体４は、後方の連結具５ｂの後方上部の孔を回動自在に挿通し且つ四角状の枠体に構成されるパイプ枠体２１と、このパイプ枠体２１の枠内を前後方向に補強する左右一対の縦パイプ２２を備えており、この縦パイプ２２の後端部には、ストッパ部材２３が立設されるとともに、このストッパ部材２３の上部付近から前方に張出す張出し端部には、布団の自重で布団を押え付けることのできる押え付け機構２４が設けられている。
【００２０】
すなわち、この押え付け機構２４は、ストッパ部材２３の上部付近から前方に張出す張出し端部に回動自在に枢着されるアーム部材２５を備えており、このアーム部材２５は枢着部ｘから下方に向けて延出する部分と、前方に向けて略水平に延出する部分と、この略水平延出端部から上方に延出する部分とが一体化されており、左右のアーム部材２５の略水平延出端部付近には、押え付けバー３４が取り付けられている。
【００２１】
また、パイプ枠体２１の後方には、図６にも示すように、垂直面内で輪状となり、かつ上部側が開放して交差するガイドパイプ２６が設けられている。このガイドパイプ２６は、以下に述べるオーバーシート２８（図４）を開閉自在にするためのものであり、オーバーシート２８の両端部を保持する左右二本の案内バー２７が、ガイドパイプ２６に沿って移動自在にされている。
【００２２】
すなわち、この案内バー２７は、後方の第３枠体４のガイドパイプ２６と、前方の第２枠体３の押えパイプ２０間に四本配設され、図６、図７にも示すように、左側二本の案内バー２７間に左側のオーバーシート２８の左右両端部が保持され、右側二本の案内バー２７間に右側のオーバーシート２８の左右両端部が保持されている。そして、それぞれのオーバーシート２８の前後両端部には所定間隔置きに複数のリング部材２９が取り付けられ、これらリング部材２９が、第３枠体４のガイドパイプ２６と、第２枠体３の押えパイプ２０に移動自在に嵌合している。
【００２３】
そして、外側の案内バー２７を、図６の左方の状態のようにガイドパイプ２６に沿って上方の内側に向けて移動させると、それまで縮んでいたオーバーシート２８（図６右方）が伸ばされて、押えパイプ２０とガイドパイプ２６間の布団の側面から上面を覆うことができるようにされている。
この際、後述するように、本布団干し具１をベランダに取り付けた場合には、第３枠体３は手が届かない場所に位置するようになり、オーバーシート２８を取り外すような際に困難な状態に陥るため、第３枠体４のガイドパイプ２６の上部側を開放させて交差させ、リング部材２９を抜き出すことができるようにしている。また、第２枠体３の押えパイプ２０は、前述のように中間部の連結パイプ２０ｂの嵌合連結を外すことにより、リング部材２９を外すことができる。
なお、布団の上部側部分を覆うためのオーバーシート２８は、下方のオーバーシート２８に対して面ファスナ等で取り付けるようにしている。
【００２４】
また、第３枠体４の縦パイプ２２の中間部にはブラケット３１が取り付けられ、このブラケット３１に支え棒３２が回動可能に枢着されている。そして、この支え棒３２の下端部は、内側に折り曲げられており、この折曲げ部３２ａを連結具５ｂの切り込み凹部ｄに係合自在にしている。
また、このパイプ枠体２１の場合も、前方と後方の横辺を、小径パイプの外側に大径パイプを回動可能に嵌合させた二重管構造にしており、パイプ枠体２１の上面に布団を載せた際に、布団が下方にスムーズに滑ってセットされるようにしている。なお、図２中、この二重管構造部分をドットマークで表示する。
【００２５】
前記前方の連結具５ａと後方の連結具５ｂは、同じ連結具の向きを変えただけものであり、図３に示すように、第１枠体２、第２枠体３、第４枠体４のパイプ枠体６、１８、２１を挿通せしめることのできる孔や、架台Ｇのパイプを挿通せしめることのできる孔や、その他の付属品等を取り付けるための孔や、後述するベランダ固定用の固定具Ｋを高さ調整可能に固定するための長孔や、ベランダの手摺りに嵌合するための嵌合凹部や、前述の切り込み凹部ｄを備えている。
【００２６】
そして、図１、図２に示す例では、連結具５ａ、５ｂに架台Ｇのパイプを取り付けて庭等で使用するようにしているが、この場合、第１枠体２から第３枠体４に向けて下向きの傾斜面が形成されるようにしており、また、第１枠体２と、第２枠体３と、第３枠体４と、前後の連結具５ａ、５ｂの長手方向の長さの総和が、布団の長さ程度にされている。
【００２７】
以上のような布団干し具１において、例えば第２枠体３上に布団を載せると、布団はパイプ枠体１８の二重管部分の回転によって下方に滑り、布団の下端部がアーム部材２５を押圧しながらストッパ部材２３に当接する。また、アーム部材２５は、布団端部の押圧により、押え付けバー３４が下方に降下する方向に揺動し、自動的に布団を上から押え付けて固定する。
【００２８】
そして、オーバーシート２８で覆う必要がない場合は、第２枠体３の押えパイプ２０や、第１枠体２の押えパイプ１６を手動で揺動させ、布団の中間部、および上端部を押え付けて保持する。すると、布団の全面を一度に太陽に当てて日干しすることができる。
【００２９】
次に本布団干し具１をマンションのベランダ等に適用する場合の一例について図４、図５に基づき説明する。
この場合は、布団干し具１の前方の連結具５ａに固定具Ｋを取り付け、この固定具Ｋをベランダの手摺り部分に固定するようにしており、それ以外の構成は前記例の場合と同様である。
【００３０】
すなわち、この固定具Ｋは、図５に示すように、連結具５ａの長孔部分を利用してボルト３６で固定される略Ｈ型部材３７と、この略Ｈ型部材３７の下端部に取り付けられる一対の締付け部材３８を備えており、図４に示すように、連結具５ａの嵌合凹部をベランダの手摺り４０に嵌合させ、締付け部材３８を締付けることによりベランダの外壁４１に固定するようにしている。
【００３１】
そして、後方の連結具５ｂを外壁４１の外面に当接させ、第１枠体２を所望の角度にセットすることにより、セットが完了する。
【００３２】
この場合の布団の位置決めも前記と同様であり、布団をセットした後、オーバーシート２８で覆う際は、左右の案内バー２７の一方をガイドパイプ２６に沿って外側から内側に移動させて布団の下半分の外側を覆った後、布団の上側については、面ファスナｆ等を利用して別のオーバーシート２８で上部部分を覆う。
この場合も、布団の全面を一度に太陽に当てて日干しすることができる。
【００３３】
以上のような要領により、庭でもベランダでも適用可能であるが、天候等の状況によっては、例えば図８に示すように、連結具５ａに半円弧状の覆いとなる付属品５０を取り付け、雨天等の場合でも利用できるようにすることが可能である。この場合、付属品５０は、左右一対の半円弧状パイプ５１と、この半円弧状パイプ５１の途中から延出する支えパイプ５２を備えており、この支えパイプ５２の先端部が、第１枠体２のパイプ枠体６に係合可能にされている。そして、左右の半円弧状パイプ５１の外側をオーバーシート２８で覆うことにより、雨等の場合でも洗濯物等を吊下げることが可能である。
【産業上の利用可能性】
【００３４】
布団の片面全面を日干しする布団干し具として、ベランダでも庭等でも適用できるため、適用範囲が広く、しかも樹脂パイプ等を骨格主要部品にすることで安価に且つ簡易に構成できる。
【図面の簡単な説明】
【００３５】
【図１】本発明に係る布団干し具を架台に取り付けた状態を示す側面図
【図２】同平面図
【図３】連結具の説明図
【図４】布団干し具をベランダに取り付けた状態を示す側面図
【図５】固定具の説明図
【図６】オーバーシート開閉機構のうち、第３枠体のガイドパイプ部分の説明図
【図７】オーバーシート開閉機構のうち、第２枠体の押えパイプ部分の説明図
【図８】付属品を取り付けた状態の説明図
【符号の説明】
【００３６】
１…布団干し具、２…第１枠体、３…第２枠体、４…第３枠体、５ａ、５ｂ…連結具、２８…オーバーシート、Ｇ…架台、Ｋ…固定具。
【図１】
2006043070.tif 000003
【図２】
2006043070.tif 000004
【図３】
2006043070.tif 000005
【図４】
2006043070.tif 000006
【図５】
2006043070.tif 000007
【図６】
2006043070.tif 000008
【図７】
2006043070.tif 000009
【図８】
2006043070.tif 000010